(57)【要約】【課題】内接歯車式ワンウェイクラッチにおいて、部品点数、組付工数の増加、組付精度の問題を生じることなく、遊星ギアの歯先がギア受入部の内周面に接触した状態で転動しないことを達成し、摺動音の発生を回避して静音化を図ること。【解決手段】遊星ギア４４、４６の軸線方向の両端部に軸部５６、５８を突出形成し、ギア受入部４０、４２の軸線方向の両端壁には各々インナ部材２０の外周側に開放されて軸部５６、５８を受け入れる軸受凹部６０、６２を形成する。軸部５６、５８と軸受凹部６０、６２との係合により、遊星ギア４４、４６が係止エッジ部５２、５４との係脱のために必要なインナ部材２０に対する所定範囲の周方向変位を許して遊星ギア４４、４６がインナ部材２０の径方向内方に変位することを禁止する構造とする。【選択図】図３
2011231840.tif 000002
【特許請求の範囲】
【請求項１】
内周部に内歯車を有する筒状のアウタ部材と、前記内歯車の内側空間に回転自在に設けられ、外周側に開口したギア受入部を形成され当該ギア受入部の周方向の一方の側に係止エッジ部を形成されたインナ部材と、前記複数のギア受入部の各々に転動可能に受容されて前記内歯車に噛合する遊星ギアとを有し、前記インナ部材が前記アウタ部材に対して一方の側に回転するときには、当該回転に伴って前記遊星ギアが前記ギア受入部内を周方向の一方の側に変位することにより当該遊星ギアの歯谷部に係止エッジ部が係合し、当該係合によって前記遊星ギアが転動不能になり、前記アウタ部材と前記インナ部材とをトルク伝達関係で接続し、前記インナ部材が前記アウタ部材に対して他方の側に回転するときには、当該回転に伴って前記遊星ギアが前記ギア受入部内を周方向の他方の側に変位することにより、前記遊星ギアの歯谷部と前記係止エッジ部との係合が解除されて前記遊星ギアが転動可能になり、前記アウタ部材と前記インナ部材との相対回転を許し、前記アウタ部材と前記インナ部材とをトルク伝達関係より切り離す内接歯車式のワンウェイクラッチであって、
前記遊星ギアの軸線方向の両端部には軸部が突出形成され、前記ギア受入部の軸線方向の両端壁には各々前記インナ部材の外周側に開放されて前記軸部を受け入れる軸受凹部が形成され、前記軸部と前記軸受凹部との係合により、前記遊星ギアが前記係止エッジ部との係脱のために必要な前記インナ部材に対する所定範囲の周方向変位を許して前記遊星ギアが前記インナ部材の径方向内方に変位することを禁止しているワンウェイクラッチ。
【請求項２】
前記遊星ギアの軸線方向両端の軸部の先端面が各々前記軸受凹部の軸線方向端面に当接し、前記インナ部材に対する前記遊星ギアの軸線方向移動が制限されている請求項１に記載のワンウェイクラッチ。
【請求項３】
前記遊星ギア毎の前記ギア受入部が複数個、前記インナ部材の軸線方向に互いに偏倚した位置に設けられている請求項１または２に記載のワンウェイクラッチ。
【発明の詳細な説明】
【技術分野】
【０００１】
本発明は、ワンウェイクラッチに関し、特に、内接歯車式のワンウェイクラッチに関するものである。
【背景技術】
【０００２】
ファクシミリ装置やコピー機の給紙機構等に用いられるワンウェイクラッチとして、内周部に内歯車を有する筒状のアウタ部材と、前記内歯車の内側空間に回転自在に設けられ、外周部にギア受入部を形成され当該ギア受入部の周方向の一方の側に係止エッジ部を形成されたインナ部材と、前記複数のギア受入部の各々に転動可能に受容されて前記内歯車に噛合する遊星ギアとを有する内接歯車式のワンウェイクラッチが知られている（例えば、特許文献１）。
【０００３】
内接歯車式のワンウェイクラッチは、インナ部材がアウタ部材に対して一方の側に回転するときには、当該回転に伴って遊星ギアがギア受入部内を周方向の一方の側に変位することにより当該遊星ギアの歯谷部に係止エッジ部が係合し、当該係合によって遊星ギアが転動不能になり、アウタ部材とインナ部材とをトルク伝達関係で接続する。これに対し、インナ部材がアウタ部材に対して他方の側に回転するときには、当該回転に伴って遊星ギアがギア受入部内を周方向の他方の側に変位することにより、遊星ギアの歯谷部と係止エッジ部との係合が解除（離脱）されて遊星ギアが転動可能になり、アウタ部材とインナ部材との相対回転を許し、アウタ部材とインナ部材とをトルク伝達関係より切り離す。
【０００４】
上述の如き内接歯車式のワンウェイクラッチでは、遊星ギアの歯先がギア受入部の内周面に接触した状態で転動すると、遊星ギアの歯数を角数とする多角形体がギア受入部内を転動することと同じにような状態になり、カチカチと云うような断続的な摺動音が生じ、静音化を阻害することになる。
【０００５】
このことに対して、遊星ギアの両端部に軸部を突出形成し、ギア受入部の軸線方向両側には周方向に長い長孔を形成し、当該長孔に遊星ギアの軸部を嵌合させることにより、遊星ギアが係止エッジ部との係合と離脱のためにインナ部材に対して周方向には変位できるが、遊星ギアの歯先がギア受入部の内周面に接触しないよう、遊星ギアの径方向変位を実質的に禁止した移動範囲規定手段が設けられた内接歯車式ワンウェイクラッチがある（例えば、特許文献２）。
【先行技術文献】
【特許文献】
【０００６】
【特許文献１】特開２００４−１９７５７号公報
【特許文献２】特開２００５−１７２１９９号公報
【発明の概要】
【発明が解決しようとする課題】
【０００７】
従来の内接歯車式ワンウェイクラッチの移動範囲規定手段は、遊星ギアの両端部に突出形成された形成された軸部と、ギア受入部の軸線方向両側に形成された長孔との嵌合により、遊星ギアが両持ち支持されているものであるから、遊星ギアの両端部に突出している軸部を各々ギア受入部の軸線方向両側に形成された長孔に嵌め込む遊星ギアの組み付け上、長孔が形成される少なくともギア受入部の軸線方向片側の壁部は、インナ部材とは別部材で構成しなくてならない。このため、部品点数、組付工数が増え、しかも、ギア受入部の軸線方向両側の長孔の周方向の位置を揃えるための組付精度も要求される。
【０００８】
本発明が解決しようとする課題は、内接歯車式ワンウェイクラッチにおいて、部品点数、組付工数の増加、組付精度の問題を生じることなく、遊星ギアの歯先がギア受入部の内周面に接触した状態で転動しないことを達成し、摺動音の発生を回避して静音化を図ることである。
【課題を解決するための手段】
【０００９】
本発明によるワンウェイクラッチは、内周部に内歯車を有する筒状のアウタ部材と、前記内歯車の内側空間に回転自在に設けられ、外周側に開口したギア受入部を形成され当該ギア受入部の周方向の一方の側に係止エッジ部を形成されたインナ部材と、前記複数のギア受入部の各々に転動可能に受容されて前記内歯車に噛合する遊星ギアとを有し、前記インナ部材が前記アウタ部材に対して一方の側に回転するときには、当該回転に伴って前記遊星ギアが前記ギア受入部内を周方向の一方の側に変位することにより当該遊星ギアの歯谷部に係止エッジ部が係合し、当該係合によって前記遊星ギアが転動不能になり、前記アウタ部材と前記インナ部材とをトルク伝達関係で接続し、前記インナ部材が前記アウタ部材に対して他方の側に回転するときには、当該回転に伴って前記遊星ギアが前記ギア受入部内を周方向の他方の側に変位することにより、前記遊星ギアの歯谷部と前記係止エッジ部との係合が解除されて前記遊星ギアが転動可能になり、前記アウタ部材と前記インナ部材との相対回転を許し、前記アウタ部材と前記インナ部材とをトルク伝達関係より切り離す内接歯車式のワンウェイクラッチであって、前記遊星ギアの軸線方向の両端部には軸部が突出形成され、前記ギア受入部の軸線方向の両端壁には各々前記インナ部材の外周側に開放されて前記軸部を受け入れる軸受凹部が形成され、前記軸部と前記軸受凹部との係合により、前記遊星ギアが前記係止エッジ部との係脱のために必要な前記インナ部材に対する所定範囲の周方向変位を許して前記遊星ギアが前記インナ部材の径方向内方に変位することを禁止している。
【００１０】
この構成によれば、軸部と軸受凹部との係合により、遊星ギアがインナ部材の径方向内方に変位することが禁止されているので、遊星ギアの歯先がギア受入部の内周面に接触しないことを保証でき、遊星ギアの歯先がギア受入部の内周面に接触した状態で転動することに起因する摺動音の発生を回避することができる。遊星ギアがインナ部材の径方向外方に変位することは、遊星ギアと内歯車との噛合により制限される。
【００１１】
ギア受入部の軸線方向の両端壁にある軸受凹部は、軸部との係合により遊星ギアがインナ部材の径方向内方に変位することを禁止するが、インナ部材の外周側に開放されているので、遊星ギアの軸線方向両端にある軸部を、各々、インナ部材の外周側より軸受凹部に嵌め込むことができる。これにより、ギア受入部の軸線方向片側の壁部をインナ部材とは別部材で構成する必要がなくなり、部品点数、組付工数の増加、組付精度の問題を招くことがない。
【００１２】
本発明によるワンウェイクラッチは、好ましくは、前記遊星ギアの軸線方向両端の軸部の先端面が各々前記軸受凹部の軸線方向端面に当接し、前記インナ部材に対する前記遊星ギアの軸線方向移動が制限されている。
【００１３】
この構成によれば、軸受凹部と軸部との係合によって遊星ギアのスラスト軸受がなされ、遊星ギアの歯部端面がギア受入部の軸線方向側壁に当接することを回避でき、この当接に起因する摺動音の発生も回避できる。
【００１４】
本発明によるワンウェイクラッチは、好ましくは、前記遊星ギア毎の前記ギア受入部が複数個、前記インナ部材の軸線方向に互いに偏倚した位置に設けられている。
【００１５】
この構成によれば、複数のギア受入部の配置が、インナ部材の軸線方向に互いに偏倚した位置に設けられているので、ギア受入部同士が干渉することなくギア受入部の径方向の深さをインナ部材の半径より大きくできる。これにより、遊星ギアを小径化することなく、ワンウェイクラッチの外径寸法を小さくできる。
【発明の効果】
【００１６】
本発明によるワンウェイクラッチは、軸部と軸受凹部との係合により、遊星ギアがインナ部材の径方向内方に変位することが禁止されているので、遊星ギアの歯先がギア受入部の内周面に接触しないことを保証でき、遊星ギアの歯先がギア受入部の内周面に接触した状態で転動することに起因する摺動音の発生を回避することができる。そのうえで、ギア受入部の軸線方向の両端壁にある軸受凹部は、軸部との係合により遊星ギアがインナ部材の径方向内方に変位することを禁止するが、インナ部材の外周側に開放されているので、遊星ギアの軸線方向両端にある軸部を、各々、インナ部材の外周側より軸受凹部に嵌め込むことがでる。このことにより、ギア受入部の軸線方向片側の壁部をインナ部材とは別部材で構成する必要がなくなり、部品点数、組付工数の増加、組付精度の問題を招くことがない。
【図面の簡単な説明】
【００１７】
【図１】本発明によるワンウェイクラッチの一つの実施例を示す縦断面図。
【図２】図１の線ＩＩ−ＩＩに沿った拡大断面図。
【図３】本実施例によるワンウェイクラッチの要部の拡大断面図（図１の線ＩＩＩ−ＩＩＩ断面相当）。
【図４】本実施例によるワンウェイクラッチの要部の分解斜視図。
【図５】本発明によるワンウェイクラッチの他の実施例の要部の分解斜視図。
【図６】本発明によるワンウェイクラッチの他の実施例の要部の拡大縦断面図。
【図７】本発明によるワンウェイクラッチの他の実施例の要部の拡大横断面図。
【発明を実施するための形態】
【００１８】
本発明によるワンウェイクラッチの一つの実施形態を、図１〜図４を参照して説明する。
【００１９】
ワンウェイクラッチは、クラッチケースをなす円筒状のアウタ部材１０を有する。アウタ部材１０は外周部１２に図示されていない送りローラの円筒ゴム体等を取り付けられるものである。アウタ部材１０の内周面には内周方向に一連の内歯（内歯車）１４が形成されている。
【００２０】
内歯車の内側空間に相当するアウタ部材１０の円筒状の内部空間には、略円柱状のインナ部材２０が軸線方向（図１で見て左右方向）に貫通している。インナ部材２０は、軸線方向に離れた２箇所に設けられた軸受外周部２２Ａ、２２Ｂをもってアウタ部材１０の軸受内周部１６Ａ、１６Ｂに回転方向に摺動可能に係合し、アウタ部材１０より回転自在に同心に支持されている。インナ部材２０の外周面には円環状突条２４が形成され、アウタ部材１０の内周面には円環状凹溝１８が形成されており、円環状突条２４と円環状凹溝１８との係合によってアウタ部材１０とインナ部材２０との軸線方向の組み付け（抜け止め）が行われている。
【００２１】
インナ部材２０は、アウタ部材１０の軸線方向端部より外方に突出した部分が軸受部２６、２８になっており、図示されていない外部の軸受部によって自身の中心軸線周りに回転可能に支持される。インナ部材２０がアウタ部材１０の軸線方向端部より外方に部分の外周部には駆動用外歯３０が形成されている。
【００２２】
インナ部材２０には、複数、本実施形態では、２個のギア受入部４０、４２が形成されている。ギア受入部４０、４２は、各々、インナ部材２０の外周部の一部を、ポケット状に彫り込んだ窪みであり、インナ部材２０の外周側に開口している。ギア受入部４０と４２は、インナ部材２０の軸線方向に互いに偏倚し、しかも、インナ部材２０の軸線方向投影面で見て、インナ部材２０の中心軸線に対して互いに点対称となる位置に形成されている。つまり、ギア受入部４０と４２は、インナ部材２０の中心軸線周りに互いに１８０度回転変位した位置にある。
【００２３】
インナ部材２０には、ギア受入部４０、４２の周方向の一方の側の縁部、本実施例では、図２、図３で見てインナ部材２０の反時計廻り方向の回転方向進み側の縁部に、角張った係止エッジ部５２、５４が形成されている。
【００２４】
ギア受入部４０、４２には、外周面に一連の外歯４８、５０を形成された遊星ギア４４、４６が一つずつ転動可能に且つ所定量のみインナ部材２０の周方向に変位可能に受容されている。遊星ギア４４、４６の外歯４８、５０は、各々、アウタ部材１０の内歯１４に噛合している。
【００２５】
インナ部材２０がアウタ部材１０に対して一方の側（図２、図３で見て反時計廻り方向）に回転するときには、当該回転に伴って遊星ギア４４、４６がギア受入部４０、４２内を周方向の一方の側（図２、図３で見て反時計廻り方向進み側）に変位することにより、遊星ギア４４、４６の歯谷部に係止エッジ部５２、５４が係合する。この係合によって遊星ギア４４、４６は、外歯４８、５０をもって内歯１４に噛合した状態のまま転動不能になり、アウタ部材１０とインナ部材２０とがトルク伝達関係で接続され、同回転方向（図２、図３で見て反時計廻り方向）に一体回転する。
【００２６】
これに対し、インナ部材２０がアウタ部材１０に対して他方の側（図２、図３で見て時計廻り方向）に回転するときには、当該回転に伴って遊星ギア４４、４６がギア受入部４０、４２内を周方向の他方の側（図２、図３で見て時計廻り方向進み側）に変位することにより、遊星ギア４４、４６の歯谷部と係止エッジ部５２、５４との係合が解除される。これにより、遊星ギア４４、４６は、外歯４８、５０をもって内歯１４に噛合した状態で転動可能になり、アウタ部材１０とインナ部材２０との相対回転を許し、アウタ部材１０とインナ部材２０とがトルク伝達関係より切り離された状態になる。換言すると、切き離し状態では、インナ部材２０は、アウタ部材１０に対して、図２、図３で見て反時計廻り方向に自由に回転できる。
【００２７】
遊星ギア４４、４６の軸線方向（図１で見て左右方向）の両端部には、各々、軸部５６、５８が突出形成されている。ギア受入部４０、４２の軸線方向（図１で見て左右方向）の両端壁には、各々、インナ部材２０の外周側に開放されて軸部５６、５８を受け入れる軸受凹部６０、６２が形成されている。
【００２８】
軸受凹部６０、６２には、遊星ギア４４、４６の軸部５６、５８が係合する。この係合により、遊星ギア４４、４６は、各々、軸線方向両端の軸部５６、５８をもって軸受凹部６０、６２の底面（内周面）６０Ａ、６２Ａより両持ち支持され、ギア受入部４０、４２内における遊星ギア４４、４６の動き（自由度）は、軸受凹部６０、６２の形状（インナ部材２０の軸線に直交する横断面形状）により規定されることになる。
【００２９】
軸受凹部６０、６２は、遊星ギア４４、４６が係止エッジ部５２、５４との係脱のために必要なインナ部材１０に対する所定範囲の周方向変位を許した態様で、軸部５６、５８が軸受凹部６０、６２の底面６０Ａ、６２Ａに当接することにより、遊星ギア４４、４６がインナ部材２０の径方向内方に変位することを禁止する形状になっている。この軸受凹部６０、６２の底面６０Ａ、６２Ａの形状は、図３によく示されているように、遊星ギア４４、４６が係止エッジ部５２、５４との係脱のためにインナ部材１０に対して所定範囲の周方向変位するための直線的な平面部分と、遊星ギア４４、４６が係止エッジ部５２、５４より離脱する側に設けられた円弧面部分とを含む形状であり、軸部５６、５８を回転（転動）可能に保持する。
【００３０】
なお、図示実施例では、軸受凹部６０、６２の底面（内周面）６０Ａ、６２Ａと、ギア受入部４０、４２の底面４０Ａ、４２Ａとが相似形をなしているが、軸受凹部６０、６２の底面（内周面）６０Ａ、６２Ａの形状は、ギア受入部４０、４２内における遊星ギア４４、４６の動きを規定するものでないので、自由に設定することができる。
【００３１】
上述したように、軸部５６、５８と軸受凹部６０、６２との係合により、遊星ギア４４、４６が係止エッジ部５２、５４との係脱のために必要なインナ部材１０に対する所定範囲の周方向変位を許した態様で、遊星ギア４４、４６がインナ部材２０の径方向内方に変位することを禁止されている。遊星ギア４４、４６がインナ部材２０の径方向外方に変位することは、遊星ギア４４、４６の外歯４８、５０とアウタ部材１０の内歯１４との噛合により制限される。
【００３２】
これにより、各部の寸法設定により、遊星ギア４４、４６の外歯４８、５０とアウタ部材１０の内歯１４との適切な噛合を保証した上で、遊星ギア４４、４６の歯先とギア受入部４０、４２の底面６０Ａ、６２Ａとの間に空隙ｅを確保し、遊星ギア４４、４６の歯先がギア受入部４０、４２の底面６０Ａ、６２Ａに接触しないことを保証できる。この結果、遊星ギア４４、４６の歯先が４０の底面６０Ａ、６２Ａに接触した状態で遊星ギア４４、４６が転動することがなく、これに起因する摺動音の発生を確実に回避できる。
【００３３】
ギア受入部４０、４２の軸線方向の両端壁にある軸受凹部６０、６２は、軸部５６、５８との係合により、遊星ギア４４、４６がインナ部材２０の径方向内方に変位することを禁止するが、インナ部材２０の外周側に開放された形状をしているので、遊星ギア４４、４６の軸線方向両端にある軸部５６、５８の双方を、各々、インナ部材２０の外周側より軸受凹部６０、６２に嵌め込むことができる。これにより、ギア受入部４０、４２の軸線方向片側の壁部をインナ部材２０とは別部材で構成する必要がなくなり、部品点数、組付工数の増加、組付精度の問題を招くことがない。
【００３４】
また、本実施例では、遊星ギア４４、４６の外歯４８、５０の軸線方向両端が面取り形状４８Ａ、５０Ａになっている。これにより、外歯４８、５０の軸線方向端面と、ギア受入部４０、４２の軸線方向端面とが摺接することがなく、この部分での摺動音の発生も防止される。
【００３５】
上述した実施例では、遊星ギア４４、４６を受容する２個のギア受入部４０、４２の配置が、インナ部材２０の軸線方向に互いに偏倚し、隣り合うギア受入部４０、４２同士でインナ部材２０の軸線方向で見て重複しない位置に設けられているので、ワンウェイクラッチの軸線方向寸法は長くなるものの、遊星ギア４４、４６を小径化することなく、ワンウェイクラッチの外径の小径化を図ることができる。
【００３６】
なお、上述の実施形態では、インナ部材２０に設けられるギア受入部の個数を２個としたが、ギア受入部の個数は、２個に限られることなく、必要に応じて、３個、４個と、それ以上の複数個であってもよい。
【００３７】
軸受凹部６０、６２は、遊星ギア４４、４６の軸部５６、５８をインナ部材２０の外周側より軸受凹部６０、６２内に嵌め込むことができる形状であればよく、図５に示されているように、インナ部材２０の外周面に対する開口縁部に抜け止め用の突条６１が形成されていてもよい。この場合、軸部５６、５８は、インナ部材２０の外周側より突条６１を乗り越えて軸受凹部６０、６２に嵌り込むことになる。
【００３８】
本発明によるワンウェイクラッチの他の実施例を、図６を参照して説明する。なお、図６において、図１に対応する部分は、図１に付した符号と同一の符号を付けて、その説明を省略する。
【００３９】
この実施例では、上述の実施例と同様に、軸部５６、５８と軸受凹部６０、６２との係合により、遊星ギア４４、４６が係止エッジ部５２、５４との係脱のために必要なインナ部材１０に対する所定範囲の周方向変位を許した態様で、遊星ギア４４、４６がインナ部材２０の径方向内方に変位することを禁止されていることに加えて、遊星ギア４４、４６の軸線方向両端の軸部５６、５８の先端面５２Ａ、５４Ａが、各々、軸受凹部６０、６２の軸線方向端面６０Ｂ、６２Ｂに当接し、インナ部材２０に対する遊星ギア４４、４６の軸線方向移動が制限されている。
【００４０】
これにより、遊星ギア４４、４６のスラスト軸受がなされ、遊星ギア４４、４６の歯部端面がギア受入部４０、４２の軸線方向側壁に当接することを回避でき、この当接に起因する摺動音の発生も回避できる。この場合には、遊星ギア４４、４６の外歯４８、５０の軸線方向両端を必ずしも面取り形状４８Ａ、５０Ａにする必要はない。
【００４１】
また、遊星ギア４４、４６の軸線方向両端の軸部５６、５８の先端面５２Ａ、５４Ａが、軸受凹部６０、６２の軸線方向端面６０Ｂ、６２Ｂに当接していることにより、インナ部材２０に対する遊星ギア４４、４６の取付姿勢が規正され、遊星ギア４４、４６の中心軸線がインナ部材２０の中心軸線に対して傾斜することを防止できる。これにより、遊星ギア４４、４６の外歯４８、５０と内歯１４との噛合において、「こじれ」を生じることがなく、遊星ギア４４、４６の外歯４８、５０と内歯１４との噛合が良好に保たれる。
【００４２】
また、ワンウェイクラッチの外径の小径化を図る必要がない場合には、図７に示されているように、複数の、各ギア受入部７０毎の遊星ギア７２を、インナ部材２０の同一軸線方位置に配置してもよい。
【００４３】
この実施例でも、前述の実施例と同様に、遊星ギア７２の軸線方向両端の軸部７４とギア受入部７０の軸線方向両端壁に形成された軸受凹部７６との係合により、遊星ギア７２が係止エッジ部７８との係脱のために必要なインナ部材１０に対する所定範囲の周方向変位を許した態様で、遊星ギア７２がインナ部材２０の径方向内方に変位することを禁止されていることにより、前述の実施例と同様の効果を得ることができる。
【符号の説明】
【００４４】
１０  アウタ部材
１４  内歯
１２  端壁
１６、１８  円環状凹溝
２０  インナ部材
２２  円弧状案内突条
２４  半円形フランジ部
２６  端部部材
２８  円形フランジ部
３０  半円形フランジ部
３２  外部接続部
３４  円環状案内突条
４０、４２  ギア受入部
４４、４６  遊星ギア
４８、５０  外歯
５２、５４  係止エッジ部
５６、５８  軸部
６０、６２  軸受凹部
【図１】
2011231840.tif 000003
【図２】
2011231840.tif 000004
【図３】
2011231840.tif 000005
【図４】
2011231840.tif 000006
【図５】
2011231840.tif 000007
【図６】
2011231840.tif 000008
【図７】
2011231840.tif 000009